(57)【要約】【課題】  近紫外線がカットされた農業用ハウス内においても昆虫、特にミツバチが受粉活動できるようにした環境下で植物を栽培する方法を提供すること。【解決手段】  ３７０ｎｍの波長の光を７０％以上遮蔽し、且つ３５０ｎｍ及びそれ以下の波長の光を実質的に遮蔽する透明な被覆材によって近紫外線がカットされた農業用ハウス内において、ミツバチ等の昆虫による受粉活動期間、３３０〜３９０ｎｍの波長域の紫外光を放射する発光体を発光させ、昆虫により受粉活動させることを特徴とする植物の栽培方法。【特許請求の範囲】
【請求項１】
３７０ｎｍの波長の光を７０％以上遮蔽し、且つ３５０ｎｍ及びそれ以下の波長の光を実質的に遮蔽する透明な被覆材によって近紫外線がカットされた農業用ハウス内において、ミツバチ等の昆虫による受粉活動期間、３３０〜３９０ｎｍの波長域の紫外光を放射する発光体を発光させ、昆虫により受粉活動させることを特徴とする植物の栽培方法。
【請求項２】
前記透明な被覆材が、３７０ｎｍ及びそれ以下の波長の光を実質的に遮蔽する被覆材であることを特徴とする請求項１に記載の植物の栽培方法
【請求項３】
前記発光体が発光ダイオードであることを特徴とする請求項１に記載の植物の栽培方法。
【請求項４】
３７０ｎｍの波長の光を７０％以上遮蔽し、且つ３５０ｎｍ及びそれ以下の波長の光を実質的に遮蔽する透明な被覆材で構成された農業用ハウス内に、３３０〜３９０ｎｍの波長域の紫外光を放射する発光体を該ハウス内部に設置したことを特徴とする農業用ハウス。
【請求項５】
前記透明な被覆材が、３７０ｎｍ及びそれ以下の波長の光を実質的に遮蔽する被覆材であることを特徴とする請求項４に記載の農業用ハウス
【請求項６】
前記発光体が発光ダイオードであることを特徴とする請求項４に記載の農業用ハウス。
【発明の詳細な説明】
【技術分野】
【０００１】
本発明は、近紫外線がカットされた農業用ハウス内においても昆虫が受粉活動できるようにした環境下で植物を栽培する方法および農業用ハウスに関するものである。
【背景技術】
【０００２】
近年、ハウス施設を利用した植物栽培が盛んに行われているが、ハウス内は高温、多湿になるため栽培植物に灰色カビ病などの病害が発生し易い。そのため、ハウスの被覆材を透過する光線のうち近紫外線のみをカットして病害の発生を抑制する方法が実施されており、特許出願も多数なされている（例えば、特許文献１）。
【特許文献１】特公昭５３−４７３８３号公報
【０００３】
一方、ハウス内で栽培される植物の受粉は、昆虫、その中でも通常はミツバチを利用し、ハウス内を飛翔させることにより行われる。しかし、ミツバチの視覚は近紫外線を感知するため、上記のような近紫外線をカットした環境下のハウス内ではミツバチが飛翔せず、植物の受粉に支障を来す。そのため、近紫外線をカットした環境下でも何とか飛翔させることのできるマルハナバチを植物の受粉目的にのみ飼育し、受粉させているのが現状である。また、人手による受粉は労力を要するばかりでなく不完全であり、奇形果を発生し易い。
【発明の開示】
【発明が解決しようとする課題】
【０００４】
本発明は、近紫外線がカットされた農業用ハウス内においても昆虫、特にミツバチが受粉活動できるようにした環境下で植物を栽培する方法およびその農業用ハウスを提供することを目的としてなされたものである。
【課題を解決するための手段】
【０００５】
本発明者らは鋭意研究した結果、被覆材によってカットされた近紫外線を発光体からの光によって受粉活動期間に限って補うことにより上記課題を解決できることを見いだし、本発明を完成した。
すなわち、本発明の要旨は、３７０ｎｍの波長の光を７０％以上遮蔽し、且つ３５０ｎｍ及びそれ以下の波長の光を実質的に遮蔽する透明な被覆材によって近紫外線がカットされた農業用ハウス内において、ミツバチ等の昆虫による受粉活動期間、３３０〜３９０ｎｍの波長域の紫外光を放射する発光体を発光させ、昆虫により受粉活動させることを特徴とする植物の栽培方法にある。
また、３７０ｎｍの波長の光を７０％以上遮蔽し、且つ３５０ｎｍ及びそれ以下の波長の光を実質的に遮蔽する透明な被覆材で構成された農業用ハウス内に、３３０〜３９０ｎｍの波長域の紫外光を放射する発光体を該ハウス内部に設置したことを特徴とする農業用ハウスにある。
前記発光体は発光ダイオードであることが好ましい。
【発明の効果】
【０００６】
本発明による植物の栽培方法は、近紫外線がカットされた農業用ハウス内において、受粉期間のみ植物の受粉に最も適した昆虫としてミツバチを利用することができ、且つ、近紫外線カットによる病害発生の抑制効果を殆ど損なうことがない。また、発光体として通常の紫外線ランプを用いると、発熱による植物への悪影響があるので設置場所を考慮する必要があるが、発光ダイオードはそのような欠点がなく、消費電力も少なくて済むので好ましい。
【発明を実施するための最良の形態】
【０００７】
本発明の方法に用いられる近紫外線をカットするハウスの被覆材は、通常、ベンゾフェノン系やベンゾトリアゾール系の紫外線吸収剤を含む塩化ビニル系樹脂やオレフィン系樹脂製の合成樹脂フィルムであるが、これに限らず、他の材料を用いた農業用ハウスも当然その範疇である。植物の病害発生を抑制するために、被覆材は好ましくは３７０ｎｍ及びそれ以下の波長の光を実質的に遮蔽する。この実質的に遮蔽するとは、その波長の光を９５％以上、好ましくは９８％以上、さらに好ましくは１００％遮蔽するものである。また、被覆材は４００ｎｍ以上の波長の可視光を極力透過するのが植物の生育上好ましい。
【０００８】
本発明の方法に用いられる発光体は、３３０〜３９０ｎｍの波長域の光を発する発光ダイオードや紫外線ランプであるが、植物に与える熱などの悪影響がなく、消費電力も少ない発光ダイオードが好ましい。また、発光体はハウスの天井付近や栽培土壌の畝上に設置され、栽培植物の受粉期間に紫外線を照射する。
【実施例】
【０００９】
次に、実施例によって本発明をさらに詳細に説明する。なお、実施例及び比較例における評価は、以下のようにして行った。
【００１０】
（１）ミツバチの飛翔性
目視で観察し、通常の近紫外線透過タイプの被覆材と通常のミツバチの飛翔方法を用いた場合の標準的な飛翔性と比較して、次の基準で評価した。
○：ミツバチの標準的な飛翔性と変わらない
△：ミツバチが箱の出口周辺に集まり、標準的な飛翔性より劣る
×：ミツバチが箱の出口周辺に集まり、飛翔してもハウスの天井やサイド
に集まり、標準的な飛翔性より格段に劣る
【００１１】
（２）灰色カビ病の発生
目視で観察し、次の基準で評価した。
○：灰色カビ病の発生は殆ど認められない
△：灰色カビ病の発生が少し認められる
×：灰色カビ病の発生が多く認められる
【００１２】
（３）植物の着果状況
目視で観察し、次の基準で評価した。
○：奇形果が殆どない
△：奇形果が少しある
×：奇形果が多い
【００１３】
実施例１〜３、比較例１〜３
被覆材として表１の各実施例及び各比較例に示されるフィルム１〜３を用いた、間口３．６ｍ、長さ７ｍのハウスを６棟用意し、各ハウスにおいてメロン（品種：アンデス）を栽培した。栽培は、１月上旬に定植、１月下旬〜３月にミツバチによる交配を行い、４月〜５月に収穫した。実施例１〜３及び比較例２においては、発光体として表１に示すナイトライドセミコンダクター社製の発光ダイオードＡ（ＬＥＤ  ＮＳ３７５Ｃ、ピーク波長３７５ｎｍ）、発光ダイオードＢ（ＬＥＤＮＳ３６５Ｃ、ピーク波長３６５ｎｍ）及び水銀ランプ（フィリップス紫外線低圧水銀ランプ、波長範囲３１０〜４１０ｎｍ）を用い、ハウス内の天井と畝に配置し、表１に示す時期にハウス内を照射した。
各ハウスにおいて、栽培期間中、ミツバチの飛翔性（１月下旬〜３月）、灰色カビの防除性（５月中）及び着果状況（３月中）を観察し、その結果を表１に示す。
【００１４】
フィルム１：３８０ｎｍ及びそれ以下の波長の光を実質的に遮蔽する近紫外線カット農業用ポリオレフィン系フィルム（シーアイ化成社製、テキナシ５ＵＶ、厚さ０．１５ｍｍ）
フィルム２：３７０ｎｍの波長の光を７０％以上遮蔽し、且つ３６０ｎｍ及びそれ以下の波長の光を実質的に遮蔽する近紫外線カット塩化ビニル樹脂系農業用フィルム（シーアイ化成社製、シャインアップ、厚さ０．１５ｍｍ）
フィルム３：近紫外線透過タイプの塩化ビニル樹脂系農業用フィルム（シーアイ化成社製、スカイエイト、厚さ０．１ｍｍ）
【００１５】
【表１】
2005124534.tif 000002
【００１６】
表１に示すとおり、各実施例においては、近紫外線カットによる灰色カビの防除性が認められ、かつ、ミツバチの飛翔性及び着果状況が良好であったが、被覆材として近紫外線カットフィルムを用い、近紫外線を照射しなかった比較例１においては、ミツバチの飛翔性及び着果状況が不良であり、同条件下で発光体により近紫外線を全栽培期間中照射した比較例２においては、近紫外線透過フィルムを用いた比較例３と同様に、灰色カビの防除効果がなかった。
【図面の簡単な説明】
【００１７】
【図１】本発明に実施例に使用したフィルム１の光線透過率曲線である。
【図２】本発明に実施例に使用したフィルム２の光線透過率曲線である。
【図３】本発明に比較例に使用したフィルム３の光線透過率曲線である。
【図１】
2005124534.tif 000003
【図２】
2005124534.tif 000004
【図３】
2005124534.tif 000005